(57)【要約】単位セル１３を上下方向に複数積層した電池１１が、ケース７内に収容されて電池モジュール１を構成し、電池モジュール１が上下方向に複数積層されて電池モジュール積層体３１となる。ケース７は、ロアケース３とアッパケース５とを備える。ロアケース３の側壁部３ｂは、アッパケース５の側壁部５ｂよりも外側に位置し、かつ、側壁部３ｂの上端３ｂ１が側壁部５ｂの下端５ｂ１よりも上方に位置する。ロアケース３の側壁部３ｂとアッパケース５の側壁部５ｂとの間に、ケース７の内部で発生した高温のガスを外部に放出する連通部１５が形成される。
2015053119.tif 000002
【特許請求の範囲】
【請求項１】
複数の電池モジュールを備え、
前記複数の電池モジュールのそれぞれは、電池と該電池を収容するケースとを備え、
前記ケースは、該ケースの内部の電池に対し、下方から覆うロアケースと上方から覆うアッパケースとを有し、これらのロアケースとアッパケースとの間に前記電池を収納する収容空間が形成され、
前記ロアケースは、前記電池の下方に位置する下壁部と、該下壁部の外周縁から上方に延びる側壁部とを有し、
前記アッパケースは、前記電池の上方に位置する上壁部と、該上壁部の外周縁から下方に延びる側壁部とを有し、
前記ロアケースの側壁部は、前記アッパケースの側壁部に対し前記収容空間とは反対の外側に離間して位置し、かつ上端が前記アッパケースの側壁部の下端よりも上方に位置し、
前記ロアケースの側壁部と前記アッパケースの側壁部との間に、前記収容空間と前記ケースの外部とを連通する連通部が設けられていることを特徴とする組電池。
【請求項２】
前記電池モジュールは、上下方向に沿って複数に積層されていることを特徴とする請求項１に記載の組電池。
【請求項３】
前記ロアケースの側壁部は、上部が下部よりも前記収容空間に対してより外側位置となるよう傾斜していることを特徴とする請求項１または２に記載の組電池。
【請求項４】
前記ロアケースの側壁部は、内面が凹状に湾曲していることを特徴とする請求項１から３のいずれか１項に記載の組電池。
【請求項５】
前記電池は、複数の単位セルで構成され、
各々の単位セルは、正極板、負極板およびセパレータを積層した発電要素と電解質とを袋状の外装体の内部に収容したラミネート電池であることを特徴とする請求項１から４のいずれか１項に記載の組電池。
【発明の詳細な説明】
【技術分野】
【０００１】
本発明は、電池をケース内に収納した電池モジュールが複数組み合わされた組電池に関する。
【背景技術】
【０００２】
電池をケース内に収納した電池モジュールを複数組み合わせた組電池としては、電池モジュールを上下方向に複数積層したものが下記特許文献１に開示されている。
【先行技術文献】
【特許文献】
【０００３】
【特許文献１】特開２０１３−１２４５８号公報（段落００１４，００１５，００５６、図１、図２、図１４、図１５）
【発明の概要】
【発明が解決しようとする課題】
【０００４】
ところで、下部側に配置された電池モジュールにおけるケース内の電池に異常が発生して電池からガスが放出された場合には、上部側に位置する電池モジュールの電池が、下部側の電池から放出されたガスの熱の影響を受けて電池寿命の低下を招くおそれがある。【０００５】
従って、異常時に電池からガスが放出された場合には、放出されたガスをケースの外部に適切に排出する必要がある。【０００６】
そこで、本発明は、所定の電池モジュールで異常が発生した電池から放出されたガスによる熱が、他の電池モジュールの電池に影響を与えるのを抑制する組電池を提供することを目的としている。
【課題を解決するための手段】
【０００７】
本発明における電池モジュールは、電池に対して下方から覆うロアケースと上方から覆うアッパケースとを有したケースの内部に電池を収容している。また、本発明に係る組電池は、前記電池モジュールを複数組み合わせて構成されている。前記ロアケースは、電池の下方に位置する下壁部と、下壁部の外周縁から上方に延びる側壁部とを有する。アッパケースは、電池の上方に位置する上壁部と、上壁部の外周縁から下方に延びる側壁部とを有する。ロアケースの側壁部は、アッパケースの側壁部に対し電池を収容する収容空間とは反対の外側に離間して位置し、かつ上端がアッパケースの側壁部の下端よりも上方に位置する。これにより、ロアケースの側壁部とアッパケースの側壁部との間に、収容空間とケースの外部とを連通する連通部が設けられる。
【図面の簡単な説明】
【０００８】
【図１】図１は、本発明の第１の実施形態に係る電池モジュールを複数積層して構成した電池モジュール積層体（組電池）の断面図である。
【図２】図２は、図１の電池モジュール積層体を構成する電池モジュール単体の断面図である。
【図３】図３は、電池モジュールの具体例を示す斜視図である。
【図４】図４は、図３の電池モジュールの分解斜視図である。
【図５】図５は、図３の電池モジュールを複数積層して構成した電池モジュール積層体の斜視図である。
【図６】図６は、図５の電池モジュール積層体を複数に並列して配置した状態を示す斜視図である。
【図７】図７は、電池モジュール積層体における最下部の電池モジュール内の電池から高温のガスが発生した場合のガスの流れを示す作用説明図である。
【図８】図８は、図２に対し、ロアケースの側壁部の上下方向長さを短くした形状の電池モジュールの断面図である。
【図９】図９は、本発明の第２の実施形態に係り、ロアケースの側壁部を傾斜させた電池モジュールの断面図である。
【図１０】図１０は、ロアケースの側壁部を鉛直方向に延びる平面形状とした電池モジュールの断面図である。
【図１１】図１１は、図１０のロアケースの側壁部を短くした形状の電池モジュールの断面図である。
【図１２】図１２は、ロアケースの側壁部が、下部鉛直部と上部鉛直部と傾斜部とを備える形状の電池モジュールの断面図である。
【図１３】図１３は、連通部を部分的に形成した電池モジュールを示す斜視図である。
【発明を実施するための形態】
【０００９】
以下、本発明の実施の形態を図面に基づき説明する。
[第１の実施形態]
図１は、本発明の第１の実施形態に係る電池モジュール１を上下方向（鉛直方向）に複数（図１では４個）積層して構成した組電池３１の簡略化した断面図である。電池モジュール１は、平面視で矩形状に形成されており、全体として偏平の直方体形状である。
【００１０】
それぞれの電池モジュール１は、図２に示すように、ロアケース３とアッパケース５とを備えるケース７の収容空間９に電池１１を収容している。即ち、電池モジュール１は、ケース７と電池１１を備え、前記ケース７は、ロアケース３とアッパケース５とから構成される。ロアケース３は、電池１１を下方から覆い、アッパケース５は電池１１を上方から覆う。
【００１１】
電池１１は、単位セル１３を複数（図２では４個）積層して、これら複数の単位セル１３を電気的に直列または並列に接続している。単位セル１３は、例えばリチウムイオン二次電池のように、自動車用の二次電池として利用される。
【００１２】
単位セル１３は、例えば、電極板としての正極板および負極板がセパレータを介して積層された発電要素が電解質とともに袋状の外装体の内部に収容された、いわゆるラミネート電池である。
【００１３】
正極板は、例えばアルミニウム箔からなる集電体と、集電体の両面に形成された正極活物質層と、を備える。正極活物質層としては、例えば、ＬｉＭｎ２Ｏ４等のリチウム−遷移金属複合酸化物からなる正極活物質、導電助剤、バインダ等を含んでいる。
【００１４】
負極板は、例えば銅箔からなる集電体と、集電体の両面に形成された負極活物質層と、を備える。負極活物質層は、負極活物質、導電助剤、バインダ等を含んでいる。負極活物質は、例えば、ハードカーボン（難黒鉛化炭素材料）、黒鉛系炭素材料や、リチウム−遷移金属複合酸化物である。
【００１５】
セパレータは、例えば、ポリエチレン、ポリプロピレン等のポリオレフィン、ポリアミド、ポリイミドなどから形成される。
【００１６】
電解質（電解液）は、有機溶媒、支持塩等を含んでいる。有機溶媒は、例えば、プロピレンカーボネート（ＰＣ）やエチレンカーボネート（ＥＣ）等の環状カーボネート類、ジメチルカーボネート等の鎖状カーボネート類、テトラヒドロフラン等のエーテル類である。支持塩は、リチウム塩（ＬｉＰＦ６）等の無機酸陰イオン塩、ＬｉＣＦ３ＳＯ３等の有機酸陰イオン塩である。
【００１７】
外装体は、例えば、金属層および該金属層の両面に形成された高分子樹脂層を有するラミネートフィルムで形成される。金属層は、例えば、アルミニウム、ステンレス、ニッケル、銅などの金属箔から構成される。高分子樹脂層は、例えば、ポリエチレン、ポリプロピレン、変性ポリエチレン、変性ポリプロピレン、アイオノマー、エチレンビニルアセテート等の熱溶着性樹脂フィルムから構成される。外装体は、このようなラミネートフィルムを２枚重ね合わせた状態で、ラミネートフィルムの外周縁同士を溶着して袋状に形成されている。なお、１枚のラミネートフィルムを折り返して重ね合わせた状態で、外周縁同士を溶着して袋状に形成してもよい。
【００１８】
このような単位セル１３において、単位セル１３の内部に短絡等の異常が発生した場合には、外装体の内部でガスが発生することによって外装体の内圧が上昇し、重ね合わせたラミネートフィルムの溶着部位が剥離することによって、外装体の内部のガスが外部に放出される。
【００１９】
ケース７のロアケース３は、電池１１の下方に位置する下壁部３ａと、下壁部３ａの外周縁から上方に延びる側壁部３ｂとを備えている。一方、アッパケース５は、電池１１の上方に位置する上壁部５ａと、上壁部５ａの外周縁から下方に延びる側壁部５ｂとを備えている。
【００２０】
そして、ロアケース３の側壁部３ｂは、アッパケース５の側壁部５ｂの外側に配置されている。即ち、側壁部３ｂは、側壁部５ｂに対し収容空間９とは反対の外側に離間して位置し、かつ上端３ｂ１がアッパケース５の側壁部５ｂの下端５ｂ１よりも上方に位置している。つまり、ロアケース３の側壁部３ｂとアッパケース５の側壁部５ｂとは、水平方向（電池１１の面方向）で互いに重なり合う（オーバラップする）部位を有する。そして、これら側壁部３ｂ,５ｂ相互間には、ケース７の内部の収容空間９とケース７の外部とを連通する連通部１５が形成される。即ち、側壁部３ｂと側壁部５ｂとが離間して連通部１５が形成され、該連通部１５を介して、ケース７の内部の収容空間９とケース７の外部とが連通されている。
【００２１】
また、ロアケース３の側壁部３ｂは、下部の傾斜部３ｂ２と上部の鉛直部３ｂ３とを備えている。具体的には、傾斜部３ｂ２は、下壁部３ａの外周縁で屈曲して上方に行くにつれて外側に向けて斜め方向に延びて、上端で屈曲して鉛直部３ｂ３に続いている。この鉛直部３ｂ３は、傾斜部３ｂ２の上端から上方に向けて鉛直方向に延びている。また、鉛直部３ｂ３の上部側の一部と、アッパケース５の側壁部５ｂとの間に、前述した連通部１５が形成される。
【００２２】
なお、前述したような連通部１５を形成する、ロアケース３の側壁部３ｂとアッパケース５の側壁部５ｂとの位置関係は、平面視で矩形状のケース７の周囲の三辺に対応する部位のみとする。残り一辺に対応する部位は、電池１１の後述する端子部２５（図３参照）を備えた部位として、連通部１５を設けていない。つまり、この端子部２５を備えた一辺に対応する部位は、図３、図４に示すように、アッパケース５の側壁部５ｂがなく、ロアケース３の側壁部３ｂは、鉛直方向に延びる平面形状として、上端縁の内面にアッパケース５の端縁５ｃを接触させている。また、ロアケース３の側壁部３ｂには、端子部２５を外部に露出させる開口部３ｂｋを設けている。
【００２３】
次に、電池モジュール１の具体的な形状及び内部構造について、図４に基づいて説明する。図４に示すように、互いに重ね合わせた複数の単位セル１３からなる電池１１は、該電池１１の上側および下側にＰＰなどの樹脂製の絶縁シート１７，１９を配置した状態でケース７内に収容される。
【００２４】
また、電池１１は、相対する二辺に対応する両端部に、複数の単位セル１３を固定保持するホルダ部材２１，２３が設けられ、このうち、一方のホルダ部材２１には、前述した端子部２５が設けられている。
【００２５】
前述した各ホルダ部材２１，２３の両端には、上下方向に貫通する貫通孔２１ａ，２３ａをそれぞれ形成し、各貫通孔２１ａ，２３ａに円筒形状のスリーブ２７がそれぞれ挿入される。スリーブ２７の軸方向（高さ方向）の長さは、ホルダ部材２１，２３の厚さとほぼ同等である。スリーブ２７に対応する位置のアッパケース５にはボルト挿入孔５ｈを設け、スリーブ２７に対応する位置のロアケース３には図示しないナットを取り付ける。
【００２６】
そして、アッパケース５のボルト挿入孔５ｈ及びスリーブ２７にボルト２９を挿入し、このボルト２９をロアケース３の図示しないナットに締結する。これにより、一つの電池モジュール１が完成する。この電池モジュール１を複数用意し、図５のように上下方向に積層させた状態で固定することにより、組電池となる電池モジュール積層体３１が得られる。
【００２７】
この際、各電池モジュール１において、スリーブ２７の下端は、ホルダ部材２１，２３の下面と共にロアケース３の下壁部３ａの上面に当接し、スリーブ２７の上端は、ホルダ部材２１，２３の上面と共にアッパケース５の上壁部５ａの下面に当接する。したがって、スリーブ２７の軸方向の長さ分、あるいはホルダ部材２１，２３の厚さ分が、ロアケース３とアッパケース５との間の収容空間９を形成する。
【００２８】
図５のように複数の電池モジュール１を積層して固定するには、例えば電池モジュール積層体３１を図示しない組電池ケース内に収容固定したり、あるいは別途固定具などを利用して固定してもよい。また、ボルト２９の長さを電池モジュール積層体３１の積層厚さに対応する長いものとし、複数の電池モジュール１をひとまとめにしてボルトとナットにより締結して固定してもよい。
【００２９】
また、図６に示すように、図５の電池モジュール積層体３１を複数用意し、並列に配置してもよい。この場合、ベースプレート３３上に複数の電池モジュール積層体３１を載せた状態で固定し、隣接する電池モジュール積層体３１の上部同士を固定部材３５で固定する。
【００３０】
次に、作用を説明する。
【００３１】
まず、第１の実施形態による電池モジュール積層体３１（組電池）は、図１に示すように、電池モジュール１を複数組み合わせて構成されている。従って、図７に示すように、所定の電池モジュール１内の電池１１が異常を起こして高温のガスＧが発生した場合、このガスＧによる熱が、他の電池モジュール１内の電池１１に影響を与えるのを抑制することができる。
【００３２】
また、電池モジュール積層体３１（組電池）は、図１に示すように、電池モジュール１を上下方向に沿って複数積層することで構成している。ここで、例えば最下部の電池モジュール１内の電池１１に異常が発生し、この異常が発生した電池１１から、図７に示すように高温のガスＧが発生したとする。なお、図７では、二つの電池モジュール積層体３１を、図６のように並列に配置している。
【００３３】
この場合、本実施形態では、ロアケース３の側壁部３ｂとアッパケース５の側壁部５ｂとの間に、ケース７の内部の収容空間９とケース７の外部とを連通する連通部１５を設けている。このため、最下部の電池１１から発生した高温のガスＧは、前記連通部１５を通ってケース７の外部に排出される。このとき、図４に示す端子部２５を備えた部位からの高温のガスＧの排出は、主として端子部２５の上部の開口部３ｂｋからのみとなり、極めて少量である。端子部２５の上部の開口部３ｂｋなどは、閉塞部材などによって密閉することで、高温のガスＧの外部への排出をさらに抑えることができる。
【００３４】
連通部１５からケース７の外部に排出された高温のガスＧは、電池モジュール積層体３１の外壁に沿って上昇する。ここで、本実施形態では、ロアケース３の側壁部３ｂの上端３ｂ１がアッパケース５の側壁部５ｂの下端５ｂ１よりも上方に位置し、かつ、ロアケース３の側壁部３ｂがアッパケース５の側壁部５ｂに対して収容空間９とは反対の外側に離間して位置している。
【００３５】
このため、高温のガスＧは、電池モジュール積層体３１の外壁に沿って流れる際に、図７に示すように、主としてロアケース３の側壁部３ｂに沿って流れることになる。これにより、異常が発生した電池モジュール１の上方に位置する電池モジュール１では、高温のガスＧの熱が、アッパケース５の側壁部５ｂに伝達しにくくなる上、高温のガスＧが連通部１５からケース７の収容空間９に進入しにくくなる。その結果、異常が発生した電池モジュール１の上方に位置する電池モジュール１では、高温のガスＧの熱の影響を受けにくくなり、電池１１の劣化を抑制することができる。
【００３６】
また、異常が発生した電池モジュール１を含む電池モジュール積層体３１に対し、並列して配置してある他の電池モジュール積層体３１についても、発生した高温のガスＧの熱が、アッパケース５の側壁部５ｂに伝達しにくくなる。さらに、並列して配置してある他の電池モジュール積層体３１について、高温のガスＧが連通部１５からケース７の内部に進入しにくくなる。したがって、電池モジュール積層体３１が横方向（水平方向）に並べて配置している場合であっても、横方向（水平方向）相互の電池モジュール１間での高温のガスＧの影響を受けにくくなる。
【００３７】
また、ロアケース３の側壁部３ｂは、下部において外側に広がるような傾斜部３ｂ２を備えている。このため、ケース７内で発生した高温のガスＧは、傾斜部３ｂ２にガイドされて、アッパケース５の側壁部５ｂとの間の連通部１５に向けて流れやすくなり、高温のガスＧをより確実にケース７の外部に放出することができる。
【００３８】
なお、前述した傾斜部３ｂ２は、平面形状としているが、外側に突出するように内面が凹状に湾曲するような湾曲面としてもよい。このように、内面が凹状に湾曲している湾曲面とすることで、高温のガスＧの連通部１５へ向けての流れがよりスムーズとなる。
【００３９】
また、図１、図２に示す例では、ロアケース３の側壁部３ｂの上端３ｂ１が、アッパケース５の上壁部５ａと上下方向位置がほぼ同等となっている。これに対し、図８に示す電池モジュール１Ａのように、側壁部３ｂの上端３ｂ１が、アッパケース５の側壁部５ｂの下端５ｂ１よりも上方であれば、側壁部３ｂの上端３ｂ１がアッパケース５の上壁部５ａよりも下方であってもよい。しかし、側壁部３ｂの上端３ｂ１を、図１、図２のように図８よりも上方に延長したほうが、下部の電池モジュール１で発生した高温のガスＧが上部の電池モジュール１のケース７内に入り込むのを、より確実に抑えることができる。
【００４０】
[第２の実施形態]
図９は、本発明の第２の実施形態に係る電池モジュール１Ｂを示している。この電池モジュール１Ｂは、ロアケース３の側壁部３ｂを、上部が下部よりも収容空間９に対してより外側位置となるよう傾斜させている。すなわち、ロアケース３の側壁部３ｂは、上端３ｂ１が、ロアケース３の下壁部３ａに接続する下端３ｂ４よりも、アッパケース５の側壁部５ｂに対し外側位置となるよう水平方向で離れている。よって、側壁部３ｂは、下端３ｂ４から上方に行くにつれて外側に向けて広がるように傾斜して延びている。この場合、ロアケース３の側壁部３ｂとアッパケース５の側壁部５ｂとの間の連通部１５の通路断面積は、下部から上部に向けて徐々に拡大することになる。
【００４１】
このように、第２の実施形態の電池モジュール１Ｂにおいては、ロアケース３の側壁部３ｂが、上部である上端３ｂ１が下部である下端３ｂ４よりも、収容空間９に対してより外側位置となるよう傾斜し、連通部１５の通路断面積も上部に行くほど大きくなっている。このため、電池モジュール１Ｂ内の電池１１から発生した高温のガスＧを、傾斜している側壁部３ｂに沿ってケース７の外部により確実に放出させることができる。また、異常が発生した電池モジュール１Ｂの上方に位置する電池モジュール１Ｂでは、高温のガスＧの熱が、アッパケース５の側壁部５ｂにより伝達しにくくなり、電池モジュール１Ｂの内部の電池１１の劣化も更に確実に抑制することができる。なお、図９の側壁部３ｂは、平面形状であるが、内面が凹状に湾曲している湾曲面としてもよい。
【００４２】
その他、ロアケース３の側壁部３ｂとしては、図１０〜図１２に示すような電池モジュール１Ｃ〜１Ｅの形状も考えられる。図１０、図１１は、電池モジュール１Ｃ、１Ｄのロアケース３の側壁部３ｂを鉛直方向に延びる平面形状としたものである。図１０では、側壁部３ｂの上端３ｂ１が、アッパケース５の上壁部５ａと、上下方向位置でほぼ同等である。図１１では、側壁部３ｂの上端３ｂ１が、アッパケース５の上壁部５ａと側壁部５ｂの下端５ｂ１との間に位置している。
【００４３】
図１０の例は、図１１の例よりも、ロアケース３の側壁部３ｂとアッパケース５の側壁部５ｂとが水平方向で重なる面積が大きくなる。このため、図１０の例は、図１１の例よりも、アッパケース５の側壁部５ｂに対する高温のガスＧの熱伝達を抑制する効果及び、高温のガスＧのケース７内への進入を抑制する効果が、更に高くなる。
【００４４】
図１２に示す電池モジュール１Ｅにおいては、ロアケース３の側壁部３ｂが、下部に位置する下部鉛直部３ｂ５と、上部に位置する上部鉛直部３ｂ６と、各鉛直部３ｂ５，３ｂ６相互間に位置する傾斜部３ｂ７とを備えている。上部鉛直部３ｂ６は、下部鉛直部３ｂ５よりも外側に位置し、アッパケース５の側壁部５ｂに水平方向で一部が重なり合っている。具体的には、側壁部３ｂは、下側に配置されて鉛直方向に延びる下部鉛直部３ｂ５と、該下部鉛直部３ｂ５の上端で屈曲して上方に行くにつれて外側に広がる傾斜部３ｂ７と、該傾斜部３ｂ７の上端で屈曲して鉛直方向に延びる上部鉛直部３ｂ６と、が一体に形成されている。なお、平面形状の傾斜部３ｂ７に代えて、外側に突出するよう湾曲していて内面が凹状の湾曲面となる形状としてもよい。
【００４５】
図１２の電池モジュール１Ｅの例では、ケース７内で発生した高温のガスＧが、傾斜部３ｂ７、もしくは傾斜部３ｂ７に代わる湾曲面に沿って外部に放出されやすくなる。
【００４６】
以上、本発明の実施形態について説明したが、これらの実施形態は本発明の理解を容易にするために記載された単なる例示に過ぎず、本発明は当該実施形態に限定されるものではない。本発明の技術的範囲は、前記実施形態で開示した具体的な技術事項に限らず、そこから容易に導きうる様々な変形、変更、代替技術なども含むものである。
【００４７】
例えば、ロアケース３の側壁部３ｂの形状は、前述した各例のほかにも各種の形状が考えられる。
【００４８】
また、図３から図５に記載の通り、前記実施形態においては、連通部１５を矩形状のケース７の周囲３辺に対応する部位に形成したが、例えば１辺のみに形成するなど、適宜に変更が可能である。また、前記実施形態においては、連通部１５は矩形状のケース７の１辺に亘って連続的に形成しているが、例えば図１３に記載の電池モジュール１Ｆのように、矩形状のケース７の１辺に部分的に形成されていてもよい。図１３の場合は、部分的な連通部１５を３つ形成したが、個数は限定されない。さらに、前記実施形態では、ケース７の内部に収容する単位セル１３の数を複数としたが、単数であってもよい。
【００４９】
本出願は、２０１３年１０月８日に出願された日本国特許願第２０１３−２１０７０４号に基づく優先権を主張しており、この出願の全内容が参照により本明細書に組み込まれる。
【産業上の利用可能性】
【００５０】
本発明に係る組電池によれば、所定の電池モジュール内の電池が異常を起こして高温のガスが発生した場合、このガスによる熱が、他の電池モジュール内の電池に影響を与えるのを抑制することができる。
【符号の説明】
【００５１】
１，１Ａ，１Ｂ，１Ｃ，１Ｄ，１Ｅ，１Ｆ  電池モジュール
３  ロアケース
３ａ  ロアケースの下壁部
３ｂ  ロアケースの側壁部
３ｂ１  ロアケースの側壁部の上端
５  アッパケース
５ａ  アッパケースの上壁部
５ｂ  アッパケースの側壁部
５ｂ１  アッパケースの側壁部の下端
７  電池モジュールのケース
９  ケース内の収容空間
１１  電池
１３  単位セル
１５  連通部
３１  電池モジュール積層体（組電池）
【図１】
2015053119.tif 000003
【図２】
2015053119.tif 000004
【図３】
2015053119.tif 000005
【図４】
2015053119.tif 000006
【図５】
2015053119.tif 000007
【図６】
2015053119.tif 000008
【図７】
2015053119.tif 000009
【図８】
2015053119.tif 000010
【図９】
2015053119.tif 000011
【図１０】
2015053119.tif 000012
【図１１】
2015053119.tif 000013
【図１２】
2015053119.tif 000014
【図１３】
2015053119.tif 000015
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
複数の電池モジュールを備え、
前記複数の電池モジュールのそれぞれは、電池と該電池を収容するケースとを備え、
前記ケースは、該ケースの内部の電池に対し、下方から覆うロアケースと上方から覆うアッパケースとを有し、これらのロアケースとアッパケースとの間に前記電池を収納する収容空間が形成され、
前記ロアケースは、前記電池の下方に位置する下壁部と、該下壁部の外周縁から上方に延びる側壁部とを有し、
前記アッパケースは、前記電池の上方に位置する上壁部と、該上壁部の外周縁から下方に延びる側壁部とを有し、
前記ロアケースの側壁部は、前記アッパケースの側壁部に対し前記収容空間とは反対の外側に離間して位置し、かつ上端が前記アッパケースの側壁部の下端よりも上方に位置し、
前記ロアケースの側壁部と前記アッパケースの側壁部との間に、前記収容空間と前記ケースの外部とを連通する連通部が設けられていることを特徴とする組電池。
【請求項２】
前記電池モジュールは、前記アッパケースを上側、前記ロアケースを下側とした状態で複数に積層されていることを特徴とする請求項１に記載の組電池。
【請求項３】
前記ロアケースの側壁部は、上部が下部よりも前記収容空間に対してより外側位置となるよう傾斜していることを特徴とする請求項１または２に記載の組電池。
【請求項４】
前記ロアケースの側壁部は、内面が凹状に湾曲していることを特徴とする請求項１から３のいずれか１項に記載の組電池。
【請求項５】
前記電池は、複数の単位セルで構成され、
各々の単位セルは、正極板、負極板およびセパレータを積層した発電要素と電解質とを袋状の外装体の内部に収容したラミネート電池であることを特徴とする請求項１から４のいずれか１項に記載の組電池。
【国際調査報告】
2015053119.tif 000016
2015053119.tif 000017
2015053119.tif 000018
2015053119.tif 000019